【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
スケジュールされたアップリンクワイヤレス送信を送信するための方法であって、
アップリンクスケジューリング許可について少なくとも２つのダウンリンクサブフレームを監視することと、
少なくとも第１のアップリンクサブフレームのために前記少なくとも２つのダウンリンクサブフレームのうちの１つ中で第１のアップリンクスケジューリング許可を受信することと、
少なくとも前記第１のアップリンクサブフレームのために前記少なくとも２つのダウンリンクサブフレームのうちの別の１つ中で第２のアップリンクスケジューリング許可を受信することと、
前記第１のアップリンクスケジューリング許可および前記第２のアップリンクスケジューリング許可のうちの一方または両方に基づいて前記第１のアップリンクサブフレーム中でアップリンク送信を実行することと
によって特徴付けられる、方法。
【請求項２】
前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクスケジューリング許可および前記第２のアップリンクスケジューリング許可のうちの直近のアップリンクスケジューリング許可を選択することを含む、請求項１に記載の方法。
【請求項３】
前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクサブフレームより少なくとも最小数のサブフレーム前のダウンリンクサブフレーム中で受信されたアップリンクスケジューリング許可を選択することを含む、請求項１に記載の方法。
【請求項４】
前記第１のアップリンクスケジューリング許可は、無線フレームのどのサブフレームがアップリンク送信のために利用可能であるかを定義するフレーム構造に基づくいくつかのサブフレームのためのものである、請求項１に記載の方法。
【請求項５】
前記第１のアップリンクスケジューリング許可が、前記第１のアップリンクサブフレーム中の前記アップリンク送信のためのハイブリッド確認応答再送要求（ＨＡＲＱ）プロセス識別子を示す、請求項１に記載の方法。
【請求項６】
前記アップリンク送信のための前記ＨＡＲＱプロセス識別子に基づいて第２のアップリンクサブフレーム中の第２のアップリンク送信に第２のＨＡＲＱプロセス識別子を割り当てることをさらに備え、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、請求項５に記載の方法。
【請求項７】
前記第２のアップリンクスケジューリング許可がフレーム中の単一のアップリンクサブフレームのためのものである、請求項１に記載の方法。
【請求項８】
前記第１のアップリンクスケジューリング許可が前記アップリンク送信のための波形を示す、請求項１に記載の方法。
【請求項９】
前記第１のアップリンクスケジューリング許可を受信することが、第１のキャリア上で前記第１のアップリンクスケジューリング許可を受信することを備え、前記第２のアップリンクスケジューリング許可を受信することが、第２のキャリア上で前記第２のアップリンクスケジューリング許可を受信することを備える、請求項１に記載の方法。
【請求項１０】
前記アップリンク送信が、前記アップリンク送信のために使用される前記第１のアップリンクスケジューリング許可および前記第２のアップリンクスケジューリング許可のうちの前記少なくとも１つの指示を含む、請求項１に記載の方法。
【請求項１１】
アップリンク送信が前記第１のアップリンクサブフレームの直前に来るサブフレーム中でスケジュールされないとき、前記アップリンク送信より前にクリアチャネルアセスメントを実行することをさらに備える、請求項１に記載の方法。
【請求項１２】
第２のアップリンクサブフレーム中の第２のアップリンク送信より前に第２のクリアチャネルアセスメントを実行すべきかどうかを決定することをさらに備え、ここにおいて、前記第１のアップリンクスケジューリング許可および前記第２のアップリンクスケジューリング許可のうちの少なくとも１つがまた、前記第２のアップリンクサブフレームのためのものであり、ここにおいて、前記第２のアップリンクサブフレームが同じフレーム内で前記第１のアップリンクサブフレームの後にある、請求項１１に記載の方法。
【請求項１３】
スケジュールされたアップリンクワイヤレス送信を送信するための装置であって、請求項１〜請求項１２のうちのいずれか一項のステップを実行するように構成される手段を備える、装置。
【請求項１４】
スケジュールされたアップリンクワイヤレス送信を送信するためのコンピュータ実行可能コードを記憶するコンピュータ可読媒体であって、請求項１〜請求項１２のうちのいずれか一項のステップを実行するように構成されるコードを備える、コンピュータ可読媒体。
【手続補正２】
【補正対象書類名】明細書
【補正対象項目名】０１１５
【補正方法】変更
【補正の内容】
【０１１５】
[0124]上記の開示は、例示的な態様を示すが、様々な変更および修正が、添付の特許請求の範囲によって定義される本開示の範囲から逸脱することなく本明細書において作成可能であることに留意されたい。本明細書で説明した本開示の態様による方法クレームの機能、ステップおよび／またはアクションは、特定の順序で実行されなくてもよい。さらに、いくつかの態様は、単数形で説明または請求されていることがあるが、単数形に限定することが明示的に述べられていない限り、複数形が企図される。
以下に本願の出願当初の特許請求の範囲に記載された発明を付記する。
[Ｃ１]  スケジュールされたアップリンクワイヤレス送信を送信するための方法であって、前記方法が、
アップリンクスケジューリング許可について少なくとも２つのダウンリンクサブフレームを監視することと、
少なくとも第１のアップリンクサブフレームのために前記少なくとも２つのダウンリンクサブフレームのうちの１つ中で第１のアップリンクスケジューリング許可を受信することと、
少なくとも前記第１のアップリンクサブフレームのために前記少なくとも２つのダウンリンクサブフレームのうちの別の１つ中で第２のアップリンクスケジューリング許可を受信することと、
前記第１のアップリンクスケジューリング許可および前記第２のアップリンクスケジューリング許可のうちの一方または両方に基づいて前記第１のアップリンクサブフレーム中でアップリンク送信を実行することと
を備える、方法。
[Ｃ２]  前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクスケジューリング許可および前記第２のアップリンクスケジューリング許可のうちの直近のアップリンクスケジューリング許可を選択することを含む、Ｃ１に記載の方法。
[Ｃ３]  前記第１のアップリンクスケジューリング許可および前記第２のアップリンクスケジューリング許可のうちの少なくとも１つに基づいて前記第１のアップリンクサブフレーム中で前記アップリンク送信を実行することが、前記第１のアップリンクサブフレームより少なくとも最小数のサブフレーム前のダウンリンクサブフレーム中で受信されたアップリンクスケジューリング許可を選択することを含む、Ｃ１に記載の方法。
[Ｃ４]  前記第１のアップリンクスケジューリング許可は、無線フレームのどのサブフレームがアップリンク送信のために利用可能であるかを定義するフレーム構造に基づくいくつかのサブフレームのためのものである、Ｃ１に記載の方法。
[Ｃ５]  前記第１のアップリンクスケジューリング許可が、前記第１のアップリンクサブフレーム中の前記アップリンク送信のためのハイブリッド確認応答再送要求（ＨＡＲＱ）プロセス識別子を示す、Ｃ１に記載の方法。
[Ｃ６]  前記アップリンク送信のための前記ＨＡＲＱプロセス識別子に基づいて第２のアップリンクサブフレーム中の第２のアップリンク送信に第２のＨＡＲＱプロセス識別子を割り当てることをさらに備え、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、Ｃ５に記載の方法。
[Ｃ７]  前記第２のアップリンクスケジューリング許可がフレーム中の単一のアップリンクサブフレームのためのものである、Ｃ１に記載の方法。
[Ｃ８]  前記第１のアップリンクスケジューリング許可が前記アップリンク送信のための波形を示す、Ｃ１に記載の方法。
[Ｃ９]  前記第１のアップリンクスケジューリング許可を受信することが、第１のキャリア上で前記第１のアップリンクスケジューリング許可を受信することを備え、前記第２のアップリンクスケジューリング許可を受信することが、第２のキャリア上で前記第２のアップリンクスケジューリング許可を受信することを備える、Ｃ１に記載の方法。
[Ｃ１０]  前記第１のアップリンクスケジューリング許可を受信することが、第１のフレーム中で前記第１のアップリンクスケジューリング許可を受信することを備え、前記第２のアップリンクスケジューリング許可を受信することが、前記第１のアップリンクサブフレームを含む後続の第２のフレーム中で前記第２のアップリンクスケジューリング許可を受信することを備える、Ｃ１に記載の方法。
[Ｃ１１]  前記アップリンク送信が、前記アップリンク送信のために使用される前記第１のアップリンクスケジューリング許可および前記第２のアップリンクスケジューリング許可のうちの前記少なくとも１つの指示を含む、Ｃ１に記載の方法。
[Ｃ１２]  アップリンク送信が前記第１のアップリンクサブフレームの直前に来るサブフレーム中でスケジュールされないとき、前記アップリンク送信より前にクリアチャネルアセスメントを実行することをさらに備える、Ｃ１に記載の方法。
[Ｃ１３]  第２のアップリンクサブフレーム中の第２のアップリンク送信より前に第２のクリアチャネルアセスメントを実行すべきかどうかを決定することをさらに備え、ここにおいて、前記第１のアップリンクスケジューリング許可および前記第２のアップリンクスケジューリング許可のうちの少なくとも１つがまた、前記第２のアップリンクサブフレームのためのものであり、ここにおいて、前記第２のアップリンクサブフレームが同じフレーム内で前記第１のアップリンクサブフレームの後にある、Ｃ１２に記載の方法。
[Ｃ１４]  スケジュールされたアップリンクワイヤレス送信を送信するための装置であって、前記装置が、
スケジューリング許可について少なくとも２つのダウンリンクサブフレームを監視するための手段と、
少なくとも第１のアップリンクサブフレームのために前記少なくとも２つのダウンリンクサブフレームのうちの１つ中で第１のアップリンクスケジューリング許可を受信するための手段と、
少なくとも前記第１のアップリンクサブフレームのために前記少なくとも２つのダウンリンクサブフレームのうちの別の１つ中で第２のアップリンクスケジューリング許可を受信するための手段と、
前記第１のアップリンクスケジューリング許可および前記第２のアップリンクスケジューリング許可のうちの一方または両方に基づいて前記第１のアップリンクサブフレーム中でアップリンク送信を実行するための手段と
を備える、装置。
[Ｃ１５]  前記アップリンク送信のための前記第１のアップリンクスケジューリング許可および前記第２のアップリンクスケジューリング許可のうちの直近のアップリンクスケジューリング許可を選択するための手段をさらに備える、Ｃ１４に記載の装置。
[Ｃ１６]  前記アップリンク送信のための前記第１のアップリンクサブフレームより少なくとも最小数のサブフレーム前のダウンリンクサブフレーム中で受信されたアップリンクスケジューリング許可を選択するための手段をさらに備える、Ｃ１４に記載の装置。
[Ｃ１７]  前記第１のアップリンクスケジューリング許可が、前記アップリンク送信のためのハイブリッド確認応答再送要求（ＨＡＲＱ）プロセス識別子を示す、Ｃ１４に記載の装置。
[Ｃ１８]  前記アップリンク送信のための前記ＨＡＲＱプロセス識別子に基づいて第２のアップリンクサブフレームのための第２のアップリンク送信に第２のＨＡＲＱプロセス識別子を割り当てるための手段をさらに備え、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、Ｃ１７に記載の装置。
[Ｃ１９]  受信するための前記手段が、第１のキャリア上で前記第１のアップリンクスケジューリング許可を受信することと、第２のキャリア上で前記第２のアップリンクスケジューリング許可を受信することとを行うように構成された、Ｃ１４に記載の装置。
[Ｃ２０]  アップリンク送信が前記第１のアップリンクサブフレームの直前のサブフレーム中でスケジュールされないとき、前記アップリンク送信の前にクリアチャネルアセスメントを実行するための手段をさらに備える、Ｃ１４に記載の装置。
[Ｃ２１]  スケジュールされたアップリンクワイヤレス送信を送信するための装置であって、前記装置が、
１つまたは複数のダウンリンクサブフレーム中でスケジューリング許可を受信することと、１つまたは複数のアップリンクサブフレーム中でデータを送信することとを行うように構成されたトランシーバと、
メモリと、
前記トランシーバおよび前記メモリに通信可能に結合されたプロセッサと
を備え、前記プロセッサおよび前記メモリが、
前記トランシーバを介して、前記スケジューリング許可について前記１つまたは複数のダウンリンクサブフレームのうちの少なくとも２つを監視することと、
前記１つまたは複数のアップリンクサブフレームの少なくとも第１のアップリンクサブフレームのために前記少なくとも２つのダウンリンクサブフレームのうちの１つ中で第１のアップリンクスケジューリング許可を受信することと、
少なくとも前記第１のアップリンクサブフレームのために前記少なくとも２つのダウンリンクサブフレームのうちの別の１つ中で第２のアップリンクスケジューリング許可を受信することと、
前記第１のアップリンクスケジューリング許可および前記第２のアップリンクスケジューリング許可のうちの一方または両方に基づいて前記第１のアップリンクサブフレーム中でアップリンク送信を実行することと
を行うように構成された、装置。
[Ｃ２２]  前記プロセッサおよびメモリが、前記アップリンク送信のための前記第１のアップリンクスケジューリング許可および前記第２のアップリンクスケジューリング許可のうちの直近のアップリンクスケジューリング許可を選択するように構成された、Ｃ２１に記載の装置。
[Ｃ２３]  前記プロセッサおよびメモリが、前記アップリンク送信のための前記第１のアップリンクサブフレームより少なくとも最小数のサブフレーム前のダウンリンクサブフレーム中で受信されたアップリンクスケジューリング許可を選択するように構成された、Ｃ２１に記載の装置。
[Ｃ２４]  前記第１のアップリンクスケジューリング許可が、前記アップリンク送信のためのハイブリッド確認応答再送要求（ＨＡＲＱ）プロセス識別子を示す、Ｃ２１に記載の装置。
[Ｃ２５]  前記プロセッサおよびメモリが、前記アップリンク送信のための前記ＨＡＲＱプロセス識別子に基づいて第２のアップリンクサブフレームのための第２のアップリンク送信に第２のＨＡＲＱプロセス識別子を割り当てるように構成され、ここにおいて、前記第１のアップリンクスケジューリング許可がまた、前記第２のアップリンクサブフレームのためのものであり、ここにおいて、前記第２のアップリンクサブフレームが前記第１のアップリンクサブフレームの後にある、Ｃ２４に記載の装置。
[Ｃ２６]  前記プロセッサおよびメモリは、アップリンク送信が前記第１のアップリンクサブフレームの直前のサブフレーム中でスケジュールされないとき、前記アップリンク送信の前にクリアチャネルアセスメントを実行するように構成された、Ｃ２１に記載の装置。
[Ｃ２７]  スケジュールされたアップリンクワイヤレス送信を送信するためのコンピュータ実行可能コードを記憶するコンピュータ可読媒体であって、
スケジューリング許可について少なくとも２つのダウンリンクサブフレームを監視するためのコードと、
少なくとも第１のアップリンクサブフレームのために前記少なくとも２つのダウンリンクサブフレームのうちの１つ中で第１のアップリンクスケジューリング許可を受信するためのコードと、
少なくとも前記第１のアップリンクサブフレームのために前記少なくとも２つのダウンリンクサブフレームのうちの別の１つ中で第２のアップリンクスケジューリング許可を受信するためのコードと、
前記第１のアップリンクスケジューリング許可および前記第２のアップリンクスケジューリング許可のうちの一方または両方に基づいて前記第１のアップリンクサブフレーム中でアップリンク送信を実行するためのコードと
を備える、コンピュータ可読媒体。
[Ｃ２８]  前記アップリンク送信のための前記第１のアップリンクスケジューリング許可および前記第２のアップリンクスケジューリング許可のうちの直近のアップリンクスケジューリング許可を選択するためのコードをさらに備える、Ｃ２７に記載のコンピュータ可読媒体。
[Ｃ２９]  前記アップリンク送信のための前記第１のアップリンクサブフレームより少なくとも最小数のサブフレーム前のダウンリンクサブフレーム中で受信されたアップリンクスケジューリング許可を選択するためのコードをさらに備える、Ｃ２７に記載のコンピュータ可読媒体。
[Ｃ３０]  アップリンク送信が前記第１のアップリンクサブフレームの直前のサブフレーム中でスケジュールされないとき、前記アップリンク送信の前にクリアチャネルアセスメントを実行するためのコードをさらに備える、Ｃ２７に記載のコンピュータ可読媒体。